(57)【要約】【課題】凍結防止を確実に行うことができる太陽熱利用温水器を提供する。【解決手段】蓄熱媒体を貯留する蓄熱槽１０と、集熱した太陽熱によって蓄熱媒体を加熱する集熱器２０と、蓄熱槽１０と水道本管Ｐとを直結する給水回路３０と、蓄熱槽１０と集熱器２０との間で蓄熱媒体を循環させる循環回路４０と、蓄熱槽１０の上部及び給水回路３０に接続された出湯回路５０とを備えており、水道本管Ｐの水圧によって蓄熱槽１０内に導入された水道水を蓄熱媒体として、集熱器２０に循環供給することで温水が生成され、この温水が蓄熱槽１０に貯留されるようになっている。蓄熱媒体として導入された水道水に凍結のおそれがあるときは、高温作動電磁弁４７を強制的に開弁し、給水回路３０を介して水道本管Ｐから供給される凍結しにくい水道水を、集熱器２０を通して、逃がし管４６から排水することによって、凍結防止を図るようになっている。【選択図】　　　　図３
2004144382.tif 000002
【特許請求の範囲】
【請求項１】
蓄熱媒体を貯留する蓄熱槽と、
集熱した太陽熱によって蓄熱媒体を加熱する集熱器と、
前記蓄熱槽と入水管とを直結する給水回路と、
前記蓄熱槽と前記集熱器との間で蓄熱媒体を循環させる循環回路と
を備え、
前記給水回路を介して前記蓄熱槽に導入された蓄熱媒体としての水を前記集熱器に循環供給することによって温水を生成し、この温水を前記蓄熱槽に貯留するようにした太陽熱利用温水器であって、
蓄熱媒体として導入された水に凍結のおそれがあるときは、前記給水回路を介して供給される水を、前記集熱器を通して排水する凍結防止運転を行うようになっていることを特徴とする太陽熱利用温水器。
【請求項２】
蓄熱媒体を貯留する蓄熱槽と、
集熱した太陽熱によって蓄熱媒体を加熱する集熱器と、
前記蓄熱槽と入水管とを直結する給水回路と、
前記蓄熱槽と前記集熱器との間で蓄熱媒体を循環させる循環回路と、
前記循環回路内の蓄熱媒体を加熱する凍結予防ヒータと
を備え、
前記給水回路を介して前記蓄熱槽に導入された蓄熱媒体としての水を前記集熱器に循環供給することによって温水を生成し、この温水を前記蓄熱槽に貯留するようにした太陽熱利用温水器であって、
蓄熱媒体として導入された水に凍結のおそれがあるときは、前記凍結予防ヒータによって、前記循環回路内の蓄熱媒体を加熱しながら、前記蓄熱槽に貯留されている蓄熱媒体を前記集熱器に強制的に循環供給する第１の凍結防止運転を行うようになっており、
前記凍結予防ヒータによって、前記循環回路内の蓄熱媒体を加熱することができない場合は、前記給水回路を介して供給される水を、前記集熱器を通して排水する第２の凍結防止運転を行うようになっていることを特徴とする太陽熱利用温水器。
【請求項３】
前記循環回路を構成している、蓄熱媒体を前記集熱器から前記蓄熱槽に送出する戻り配管には、蓄熱媒体の温度が所定温度以上に上昇すると開弁する高温作動電磁弁が設置された逃がし管が接続されており、
前記凍結防止運転または前記第２の凍結防止運転を行うときは、前記高温作動電磁弁を強制的に開弁させることによって、前記逃がし管を通して水を排水するようにした請求項１または２に記載の太陽熱利用温水器。
【請求項４】
前記集熱器は、前記集熱器内に滞留している蓄熱媒体を排出するための排出路を備えており、
前記排出路には、受ける圧力が、作動圧力を上回ると閉弁し、作動圧力以下に低下すると開弁する自力開閉弁が設置されている請求項１、２または３に記載の太陽熱利用温水器。
【発明の詳細な説明】
【０００１】
【発明の属する技術分野】
この発明は、給水圧によって蓄熱槽内に導入された水を、集熱器に直接循環供給することによって蓄熱槽内に温水を生成する、直接集熱方式の太陽熱利用温水器、特に、凍結防止機能に優れた太陽熱利用温水器に関する。
【０００２】
【従来の技術】
この種の太陽熱利用温水器としては、例えば、図４に示すようなものがある。この太陽熱利用温水器６０は、同図に示すように、給水回路６４を介して水道本管に直結された蓄熱槽６１と、家屋の屋根面等に設置され、太陽熱を集熱する集熱器６２と、蓄熱槽６１と集熱器６２とを接続する、循環ポンプ６３ａを有する循環回路６３とを備えており、水道本管の水圧によって蓄熱槽６１内に導入された水道水（以下、蓄熱媒体という）を、集熱器６２に循環供給することで温水が生成され、この温水が蓄熱槽６１に貯留されるようになっている。なお、蓄熱槽６１に貯留された温水は、蓄熱槽６１の上部及び給水回路６４に接続された出湯回路６５を介して出湯されるようになっている。
【０００３】
ところで、こういった太陽熱利用温水器６０は屋外に設置されるので、冬場に外気温が著しく低下する寒冷地等においては、集熱運転を行わない夜間に集熱器６２や循環回路６３内に滞留している蓄熱媒体が凍結するおそれがあり、凍結防止策を講じる必要がある。
【０００４】
しかしながら、上述したような直接集熱方式の太陽熱利用温水器６０では、蓄熱槽内に設けた熱交換器と集熱器との間で蓄熱媒体を循環させる間接集熱方式の太陽熱利用温水器とは異なり、蓄熱媒体に不凍液を混合することができないので、以下のような凍結防止策を講じるのが一般的である。
【０００５】
まず、集熱器６２内に滞留している蓄熱媒体が凍結危険温度以下に低下すると、循環回路６３の循環ポンプ６３ａを起動して、昼間集熱運転を行うことによって蓄熱槽６１に貯留されている温水（比較的温度の高い蓄熱媒体）を集熱器６２に強制的に循環供給することで、蓄熱媒体の凍結を防止することができる。
【０００６】
ところが、蓄熱槽６１に貯留されている蓄熱媒体が、既に、凍結危険温度付近まで低下しているような場合は、蓄熱槽６１に貯留されている蓄熱媒体を集熱器６２に単に循環供給しても、十分な凍結防止効果を得ることができないので、こういった太陽熱利用温水器６０では、図４に示すように、循環回路６３に凍結予防ヒータ６６を設け、蓄熱槽６１に貯留されている蓄熱媒体が凍結危険温度以下に低下したような場合は、凍結予防ヒータ６６によって、循環回路６３内の蓄熱媒体を加熱しながら、蓄熱槽６１に貯留されている蓄熱媒体を集熱器６２に強制的に循環供給することが考えられる。
【０００７】
【特許文献１】
特開平０８−２１９５５６号公報
【０００８】
【発明が解決しようとする課題】
しかしながら、上述したように、凍結予防ヒータ６６によって、循環回路６３内の蓄熱媒体を加熱しながら、蓄熱槽６１に貯留されている蓄熱媒体を集熱器６２に強制的に循環供給することによって、蓄熱媒体の凍結防止を行う場合、断線等によって、凍結予防ヒータ６６が作動しない場合は、蓄熱槽６１、集熱器６２、循環回路６３内に滞留している蓄熱媒体が凍結してしまうといった問題がある。
【０００９】
そこで、この発明の課題は、凍結防止を確実に行うことができる太陽熱利用温水器を提供することにある。
【００１０】
【課題を解決するための手段及びその効果】
上記の課題を解決するため、請求項１にかかる発明は、蓄熱媒体を貯留する蓄熱槽と、集熱した太陽熱によって蓄熱媒体を加熱する集熱器と、前記蓄熱槽と入水管とを直結する給水回路と、前記蓄熱槽と前記集熱器との間で蓄熱媒体を循環させる循環回路とを備え、前記給水回路を介して前記蓄熱槽に導入された蓄熱媒体としての水を前記集熱器に循環供給することによって温水を生成し、この温水を前記蓄熱槽に貯留するようにした太陽熱利用温水器であって、蓄熱媒体として導入された水に凍結のおそれがあるときは、前記給水回路を介して供給される水を、前記集熱器を通して排水する凍結防止運転を行うようになっていることを特徴とする太陽熱利用温水器を提供するものである。
【００１１】
以上のように、この太陽熱利用温水器は、蓄熱媒体として導入された水に凍結のおそれがあるときは、入水管から供給される凍結しにくい水を、入水管の水圧を利用して集熱器に供給し、集熱器から送出される水をそのまま排水するようになっているので、凍結予防ヒータ等によって、蓄熱媒体を加熱しなくても、蓄熱媒体の凍結を確実に防止することができる。
【００１２】
従って、請求項２にかかる発明のように、蓄熱媒体を貯留する蓄熱槽と、集熱した太陽熱によって蓄熱媒体を加熱する集熱器と、前記蓄熱槽と入水管とを直結する給水回路と、前記蓄熱槽と前記集熱器との間で蓄熱媒体を循環させる循環回路と、前記循環回路内の蓄熱媒体を加熱する凍結予防ヒータとを備え、前記給水回路を介して前記蓄熱槽に導入された蓄熱媒体としての水を前記集熱器に循環供給することによって温水を生成し、この温水を前記蓄熱槽に貯留するようにした太陽熱利用温水器であって、蓄熱媒体として導入された水に凍結のおそれがあるときは、前記凍結予防ヒータによって、前記循環回路内の蓄熱媒体を加熱しながら、前記蓄熱槽に貯留されている蓄熱媒体を前記集熱器に強制的に循環供給する第１の凍結防止運転を行うようになっており、前記凍結予防ヒータによって、前記循環回路内の蓄熱媒体を加熱することができない場合は、前記給水回路を介して供給される水を、前記集熱器を通して排水する第２の凍結防止運転を行うようにしておくと、断線等の異常によって、凍結予防ヒータが作動しない場合でも、蓄熱媒体の凍結を確実に防止することができ、凍結防止に対する信頼性が向上するという効果が得られる。
【００１３】
特に、請求項３にかかる発明の太陽熱利用温水器のように、前記循環回路を構成している、蓄熱媒体を前記集熱器から前記蓄熱槽に送出する戻り配管には、蓄熱媒体の温度が所定温度以上に上昇すると開弁する高温作動電磁弁が設置された逃がし管が接続されており、前記凍結防止運転または前記第２の凍結防止運転を行うときは、前記高温作動電磁弁を強制的に開弁させることによって、前記逃がし管を通して水を排水するようにしておくと、凍結防止のために専用の排水路を設ける必要がなく、太陽熱利用温水器に通常設置されている高温作動電磁弁の開閉制御を行うだけで、こういった凍結防止運転を簡単に行うことができる。
【００１４】
また、こういった太陽熱利用温水器では、停電時、長期未使用時、極低温時には、集熱器、蓄熱槽及び循環回路から蓄熱媒体を排出するのが一般的であるので、請求項４にかかる発明の太陽熱利用温水器のように、前記集熱器は、前記集熱器内に滞留している蓄熱媒体を排出するための排出路を備えており、前記排出路には、受ける圧力が、作動圧力を上回ると閉弁し、作動圧力以下に低下すると開弁する自力開閉弁が設置されているものにあっては、自力開閉弁の作動圧力を、給水圧より低く、かつ、蓄熱槽内の蓄熱媒体を排出する際、排出しきれない集熱器の残水分に相当する水頭圧より高い圧力に設定しておくと、給水圧がかかっている通常時には自力開閉弁が閉弁するので、集熱器から蓄熱媒体が排出されることはなく、給水圧がかからない、蓄熱媒体の排出時には、自力開閉弁が開弁するので、特別な操作を行うことなく、集熱器内の蓄熱媒体を自動的に排出することが可能となる。
【００１５】
【発明の実施の形態】
以下、実施の形態について図面を参照して説明する。図１に示すように、この太陽熱利用温水器１は、蓄熱媒体を貯留する蓄熱槽１０と、集熱した太陽熱によって蓄熱媒体を加熱する集熱器２０と、蓄熱槽１０と水道本管（入水管、例えば水道本管）Ｐとを直結する給水回路３０と、蓄熱槽１０と集熱器２０との間で蓄熱媒体を循環させる循環回路４０と、蓄熱槽１０の上部及び給水回路３０に接続された出湯回路５０とを備えており、水道本管Ｐの水圧によって蓄熱槽１０内に導入された水道水（水、例えば水道水）を蓄熱媒体として、集熱器２０に循環供給することで温水が生成され、この温水が蓄熱槽１０に貯留されるようになっている。なお、蓄熱槽１０に貯留された温水は、出湯回路５０を介して出湯されるようになっている。
【００１６】
前記蓄熱槽１０は、ステンレス鋼板等によって形成された密閉容器であり、その底部には、蓄熱槽１０内に貯留された蓄熱媒体を排出するために、排水弁１２が設置された排水管１１が接続されていると共に、その頂部及び下部において、貯留された蓄熱媒体の温度を検出する頂部蓄熱温度センサ１３及び下部蓄熱温度センサ１４がそれぞれ設置されている。
【００１７】
前記集熱器２０は、往きヘッダ２１と戻りヘッダ２２とを多数の通水管２３によって接続すると共に通水管２３にアルミフィン（図示せず）を取り付けたものであり、往きヘッダ２１が下方側に位置するように、日射を受けやすい家屋の屋根面等に傾斜させた状態で設置されている。
【００１８】
前記戻りヘッダ２２には、戻りヘッダ２２内の蓄熱媒体の温度を集熱温度として検出する集熱温度センサ２４と、圧力安全弁２５とが設置されており、この圧力安全弁２５によって、戻りヘッダ２２内の圧力が所定圧力（例えば、５ｋｇｆ／ｃｍ２）を上回らないようになっている。
【００１９】
また、往きヘッダ２１には、その両端部に、集熱器２０内に滞留している蓄熱媒体を排出するための排出管２６が接続されており、この排出管２６には、受ける圧力に応じて、自力で開閉する自力開閉弁２７が設置されている。
【００２０】
この自力開閉弁２７は、設定された作動圧力を上回る圧力を受けると閉弁し、作動圧力以下の圧力を受けると開弁するように構成されており、この場合、その作動圧力は、給水圧より低く、かつ、蓄熱槽１０内の蓄熱媒体を排水管１１を介して排出する際、図２に示すように、排出しきれずに残る集熱器２０側の残水高さｈの水頭圧より高い圧力（例えば、０．５ｋｇｆ／ｃｍ２）に設定されている。
【００２１】
前記給水回路３０は、水道本管Ｐと蓄熱槽１０の底部とを接続する給水管３１と、この給水管３１に設置された元水栓３２、逆止弁３３及び減圧弁３４とを備えており、水道本管Ｐの水圧（１７．５ｋｇｆ／ｃｍ２）が、減圧弁３４によって４ｋｇｆ／ｃｍ２程度に減圧されるので、蓄熱槽１０、集熱器２０、循環回路４０及び出湯回路５０には、常時、４ｋｇｆ／ｃｍ２程度の給水圧がかかることになる。
【００２２】
前記循環回路４０は、給水回路３０の給水管３１と集熱器２０の往きヘッダ２１とを接続する往き配管４１と、集熱器２０の戻りヘッダ２２と蓄熱槽１０の頂部とを接続する戻り配管４２とを備えており、往き配管４１には、蓄熱槽１０に貯留された水道水（蓄熱媒体）を集熱器２０に循環供給するための循環ポンプ４３が設置されている。
【００２３】
また、往き配管４１には、集熱器２０に循環供給される蓄熱媒体を加熱するための凍結予防ヒータ４４が設置されており、戻り配管４２には、逆止弁４５が設置されていると共に頂部蓄熱温度センサ１３によって検出される蓄熱媒体の温度が所定温度（例えば、９０℃）以上に上昇すると開弁する高温作動電磁弁４７が設置された逃がし管４６が接続されている。さらに、往き配管４１及び戻り配管４２には、手動開閉弁４８及びエアチャージ栓４９がそれぞれ設置されている。
【００２４】
前記出湯回路５０は、蓄熱槽１０に貯留された温水（蓄熱媒体）を、蓄熱槽１０の頂部から送出する温水配管５１と、給水回路３０の給水管３１に接続された給水配管５２と、蓄熱槽１０から温水配管５１を介して供給される温水と、給水配管５２を介して供給される水道水とを、必要に応じて混合する混合調節弁５３と、この混合調節弁５３の出口側に接続された出湯配管５４とを備えており、出湯配管５４と給水配管５２とは、通電状態で流路を遮断する電磁弁５５ａが設置されたバイパス管５５を介して接続されている。なお、温水配管５１の立下がり部分には、圧力安全弁５６が設置されており、この圧力安全弁５６によって、出湯回路５０内の圧力が所定圧力（例えば、５ｋｇｆ／ｃｍ２）を上回らないようになっている。
【００２５】
また、温水配管５１、給水配管５２及び出湯配管５４には、蓄熱槽１０から送出される温水の温度を検出するための温水温度センサ５７、給水配管５２を介して供給される水道水の温度を検出するための給水温度センサ５８及び混合調節弁５３から送出される混合温水の温度を検出するための出湯温度センサ５９がそれぞれ設置されており、これらの温度センサによって検出された温度に基づいて、設定温度の混合温水が出湯されるように、混合調節弁５３の開度が制御されるようになっている。
【００２６】
なお、この太陽熱利用温水器１には、その運転動作を統括的に制御するコントローラ（図示せず）が搭載されており、具体的には、頂部蓄熱温度センサ１３、下部蓄熱温度センサ１４、集熱温度センサ２４、温水温度センサ５７、給水温度センサ５８及び出湯温度センサ５９からの温度検出信号に基づいて、循環ポンプ４３の運転及び停止の制御、凍結予防ヒータ４４のＯＮ、ＯＦＦ制御や高温作動電磁弁４７及び混合調節弁５３等の開閉制御を行うようになっている。
【００２７】
以上のように構成された太陽熱利用温水器１では、上述したように、蓄熱槽１０、循環回路４０及び出湯回路５０と水道本管Ｐとが給水回路３０を介して直結されているので、給水回路３０の元水栓３２を開くと、水道本管Ｐから蓄熱槽１０、集熱器２０、循環回路４０及び出湯回路５０内に水道水（蓄熱媒体）が導入される。このとき、集熱器２０には、自力開閉弁２７の設定圧力より高い、４ｋｇｆ／ｃｍ２程度の給水圧がかかっているので、自力開閉弁２７が閉弁した状態となっており、集熱器２０内に導入された水道水（蓄熱媒体）が排出されることはない。
【００２８】
この状態で、太陽熱利用温水器１の運転スイッチをＯＮすると、コントローラが、集熱温度センサ２４によって検出される集熱温度と、下部蓄熱温度センサ１４によって検出される蓄熱槽１０の下部蓄熱温度とを比較して、集熱温度が下部蓄熱温度より６℃以上高くなると、循環ポンプ４３を起動して、蓄熱槽１０内に貯留された水道水（蓄熱媒体）を集熱器２０に循環供給し、集熱器２０で加熱されることによって生成された温水が蓄熱槽１０に貯留されることになる。なお、集熱温度と下部蓄熱温度との差が３℃以下に低下すると、ほとんど蓄熱槽１０内に温水を生成することができない状態になるので、循環ポンプ４３の運転を停止させる。
【００２９】
このようにして蓄熱槽１０に貯留された温水の温度が設定温度を上回っている場合において、出湯回路５０における出湯配管５４の下流側に接続されたカラン等を開くと、４ｋｇｆ／ｃｍ２程度の給水圧によって、温水及び水道水が温水配管５１及び給水配管５２を介して混合調節弁５３に送出され、混合調節弁５３が温水に水道水を適宜混合することによって、設定温度の温水を生成するので、設定温度の温水がカラン等から出湯されることになる。
【００３０】
次に、この太陽熱利用温水器１の凍結防止方法について説明する。まず、集熱温度センサ２４によって検出される集熱温度（集熱器２０内の蓄熱媒体の温度）が凍結危険温度（例えば、５℃）以下に低下すると、下部蓄熱温度センサ１４によって検出される下部蓄熱温度（蓄熱槽１０の下部に貯留されている蓄熱媒体の温度）が３℃以上であるか否かを判断し、下部蓄熱温度が３℃以上である場合は、循環ポンプ４３を強制的に起動して、蓄熱槽１０内に貯留されている温水（比較的温度の高い蓄熱媒体）を集熱器２０に循環供給することによって、集熱器２０や循環回路４０の凍結防止を図ることになる。
【００３１】
一方、集熱温度センサ２４によって検出される集熱温度が凍結危険温度以下に低下した時点で、下部蓄熱温度センサ１４によって検出される下部蓄熱温度が３℃を下回っている場合は、蓄熱槽１０に貯留されている蓄熱媒体を集熱器２０に単に循環供給しても、十分な凍結防止効果を得ることができないので、凍結予防ヒータ４４によって、循環回路４０内の蓄熱媒体を加熱しながら、蓄熱槽１０に貯留されている蓄熱媒体を集熱器２０に強制的に循環供給することにより、集熱器２０、循環回路４０及び蓄熱槽１０の凍結防止を図ることになる。
【００３２】
このように、蓄熱槽１０に貯留されている蓄熱媒体の温度が低下した場合は、凍結予防ヒータ４４を作動させることになるが、断線等の異常によって、凍結予防ヒータ４４が作動しなかった場合、これを検出したコントローラは、図３に示すように、高温作動電磁弁４７を強制的に開弁させることによって、給水回路３０を介して水道本管Ｐから供給される凍結しにくい水道水を、その給水圧によって、循環回路４０の往き配管４１を利用して集熱器２０に供給しながら、集熱器２０から送出される水道水を、循環回路４０の戻り配管４２を利用して、逃がし管４６から排水することによって、集熱器２０、循環回路４０及び蓄熱槽１０の凍結防止を図ることになる。
【００３３】
また、この太陽熱利用温水器１を長期間使用しない場合や停電時、極低温時には、蓄熱槽１０、集熱器２０及び循環回路４０に滞留している蓄熱媒体を全て、外部に排出することによって、凍結防止を図ることになる。具体的には、給水回路３０の元水栓３２を閉止した後、排水弁１２を開いて排水管１１から蓄熱媒体を排水することになるが、この時点で、集熱器２０の自力開閉弁２７は、給水圧（４ｋｇｆ／ｃｍ２程度）を受けておらず、図２に示すように、蓄熱槽１０側から排水することができない集熱器２０側の残水高さｈの水頭圧だけを受けている状態であり、自力開閉弁２７の作動圧力はその水頭圧より高く設定されているので、自力開閉弁２７は自然に開弁し、集熱器２０側に滞留している蓄熱媒体が排出管２６から排出されることになる。
【００３４】
以上のように、この太陽熱利用温水器１では、断線等の異常によって、凍結予防ヒータ４４が作動しない場合は、給水回路３０を介して水道本管Ｐから供給される凍結しにくい水道水を、集熱器２０を通して排水するようにしたので、凍結予防ヒータ４４が作動しない場合でも、蓄熱媒体の凍結を確実に防止することができ、凍結防止に対する信頼性が向上するという効果が得られる。
【００３５】
特に、この太陽熱利用温水器１では、こういった凍結防止運転を行う際、循環回路４０の戻り配管４２に接続されている逃がし管４６に設置された高温作動電磁弁４７を強制的に開弁させることによって、逃がし管４６から水道水を排水するようにしたので、凍結防止のために専用の排水路を設ける必要がなく、太陽熱利用温水器に通常設置されている高温作動電磁弁４７の開閉制御を行うだけで、こういった凍結防止運転を簡単に行うことができる。
【００３６】
また、この太陽熱利用温水器１では、集熱器２０内の蓄熱媒体を排出するための排出管２６に、作動圧力を上回る圧力で閉弁し、作動圧力以下の圧力で開弁する自力開閉弁２７を設けたので、その作動圧力を適宜設定することによって、排水管１１から蓄熱媒体を排出する際、集熱器２０側の蓄熱媒体を排出管２６から自動的に排出させることができる。これによって、蓄熱媒体を排出する際、集熱器２０側において特別な弁操作等を行う必要がなく、使い勝手が向上すると共に、高価な自動制御を採用する必要もないので、同等の機能を低コストで実現することができる。
【００３７】
なお、上述した実施形態では、凍結予防ヒータ４４が作動しない場合にだけ、水道本管Ｐから供給される水道水を集熱器２０に通して排水する凍結防止運転を行うようになっているが、これに限定されるものではなく、例えば、凍結予防ヒータを使用せずに、蓄熱温度が低下すると、こういった凍結防止運転を行ったり、集熱温度が凍結危険温度以下に低下した時点で、直ちに、こういった凍結防止運転を行うことも可能である。
【００３８】
また、上述した実施形態では、凍結防止運転を行う際、集熱器２０から送出される水道水を、循環回路４０の戻り配管４２に接続されている逃がし管４６に設置された高温作動電磁弁４７を強制的に開弁させることによって排水するようにしているが、これに限定されるものではなく、凍結防止運転を行う際に使用する専用の排水路を設け、この排水路に電磁弁を設置することも可能である。
【図面の簡単な説明】
【図１】この発明にかかる太陽熱利用温水器の一実施形態を示す概略構成図である。
【図２】同上の太陽熱利用温水器に使用されている自力開閉弁の作動圧力の設定方法を説明するための説明図である。
【図３】同上の太陽熱利用温水器において、凍結防止運転を行ったときの運転状態を示す状態図である。
【図４】従来の太陽熱利用温水器を示す概略構成図である。
【符号の説明】
１　太陽熱利用温水器
１０　蓄熱槽
１１　排水管
１２　排水弁
１３　頂部蓄熱温度センサ
１４　下部蓄熱温度センサ
２０　集熱器
２４　集熱温度センサ
２５　圧力安全弁
２６　排出管
２７　自力開閉弁
３０　給水回路
３１　給水管
３２　元水栓
３３　逆止弁
３４　減圧弁
４０　循環回路
４１　往き配管
４２　戻り配管
４３　循環ポンプ
４４　凍結予防ヒータ
４６　逃がし管
４７　高温作動電磁弁
５０　出湯回路
５１　温水配管
５２　給水配管
５３　混合調節弁
５４　出湯配管
【図１】
2004144382.tif 000003
【図２】
2004144382.tif 000004
【図３】
2004144382.tif 000005
【図４】
2004144382.tif 000006